【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
複合植物用容器自己給水システムであって、
第１の高さにおける一次容器であって、前記一次容器は、
管類を受け取るための一対の孔を有する一次外殻と、
前記一次外殻の内側に位置している一次リザーバポットであって、前記一次リザーバポットは、上側部分と、前記上側部分の真ん中に中心を置かれている下側部分とを有する、一次リザーバポットと、
前記一次リザーバポットの下側部分の内側に位置している一次芯と、
前記一次リザーバポットの上側部分の内側に位置している一次生育ポットと
を備えている、一次容器と、
複数の二次容器であって、前記複数の二次容器の各々は、異なる高さにあり、前記複数の二次容器の各々は、
前記管類を受け取るための一対の孔を有する二次外殻と、
前記二次外殻の内側に位置している二次リザーバポットであって、前記二次リザーバポットは、上側部分と、前記上側部分の真ん中に中心を置かれている下側部分とを有する、二次リザーバポットと、
前記二次リザーバポットの下側部分の内側に位置している二次芯と、
前記二次リザーバポットの上側部分の内側に位置している二次生育ポットと
を備えている、複数の二次容器と
を備え、
前記一次容器および前記複数の二次容器は、前記管類を用いて流体接続され、実質的に類似した完全乾燥時間を可能にするように構成されている、複合植物用容器自己給水システム。
【請求項２】
前記一次容器は、外部水供給装置と、前記複数の二次容器のうちの少なくとも１つとに流体接続されている、請求項１に記載の複合植物用容器自己給水システム。
【請求項３】
前記複数の二次容器は、デイジーチェーン式で流体接続されている、請求項１に記載の複合植物用容器自己給水システム。
【請求項４】
前記一次外殻は、前記一次リザーバポットおよび前記管類を支持している、請求項１に記載の複合植物用容器自己給水システム。
【請求項５】
前記二次外殻は、前記二次リザーバポットおよび前記管類を支持している、請求項１に記載の複合植物用容器自己給水システム。
【請求項６】
前記一次リザーバポットの下側部分は、隣接する容器から前記管類を受け取る手段を備えている、請求項１に記載の複合植物用容器自己給水システム。
【請求項７】
前記二次リザーバポットの下側部分は、隣接する容器から前記管類を受け取る手段を備えている、請求項１に記載の複合植物用容器自己給水システム。
【請求項８】
前記一次リザーバポットの下側部分の直径は、前記一次リザーバポットの上側部分の直径と比較して大幅に減少させられている、請求項１に記載の複合植物用容器自己給水システム。
【請求項９】
前記一次リザーバポットの下側部分の直径は、前記一次芯の直径を収容するための大きさでしかない、請求項８に記載の複合植物用容器自己給水システム。
【請求項１０】
前記二次リザーバポットの下側部分の直径は、前記二次リザーバポットの上側部分の直径と比較して大幅に減少させられている、請求項１に記載の複合植物用容器自己給水システム。
【請求項１１】
前記二次リザーバポットの下側部分の直径は、前記二次芯の直径を収容するための大きさでしかない、請求項１０に記載の複合植物用容器自己給水システム。
【請求項１２】
前記一次芯は、前記一次リザーバポットの上側部分の一次プラットフォーム上に据えられており、前記一次リザーバポットの下側部分を通って下に延びている、請求項１に記載の複合植物用容器自己給水システム。
【請求項１３】
前記一次生育ポットは、前記一次芯、および前記一次リザーバポットの一次プラットフォームの上に据えられている、請求項１２に記載の複合植物用容器自己給水システム。
【請求項１４】
前記二次芯は、前記二次リザーバポットの上側部分の二次プラットフォーム上に据えられており、前記二次リザーバポットの下側部分を通って下に延びている、請求項１に記載の複合植物用容器自己給水システム。
【請求項１５】
前記二次生育ポットは、前記二次芯、および前記二次リザーバポットの二次プラットフォームの上に据えられている、請求項１４に記載の複合植物用容器自己給水システム。
【請求項１６】
複合植物用容器自己給水システムであって、
第１の高さにおける一次容器であって、前記一次容器は、
一次外殻と、
前記一次外殻の内側に位置している一次リザーバポットであって、前記一次リザーバポットは、上側部分と、前記上側部分の真ん中に中心を置かれている下側部分とを有し、前記下側部分の直径は、前記上側部分の直径と比較して大幅に減少させられている、一次リザーバポットと、
前記一次リザーバポットの下側部分の内側に位置している一次芯と、
前記一次リザーバポットの上側部分の内側に位置している一次生育ポットと
を備えている、一次容器と、
複数の二次容器であって、前記複数の二次容器の各々は、異なる高さにあり、前記複数の二次容器の各々は、
二次外殻と、
前記二次外殻の内側に位置している二次リザーバポットであって、前記二次リザーバポットは、上側部分と、前記上側部分の真ん中に中心を置かれている下側部分とを有し、前記下側部分の直径は、前記上側部分の直径と比較して大幅に減少させられている、二次リザーバポットと、
前記二次リザーバポットの下側部分の内側に位置している二次芯と、
前記二次リザーバポットの上側部分の内側に位置している二次生育ポットと
を備えている、複数の二次容器と
を備え、
前記一次容器および前記複数の二次容器は、管類を用いて流体接続され、実質的に類似した完全乾燥時間を可能にするように構成されている、複合植物用容器自己給水システム。
【請求項１７】
前記一次外殻および前記二次外殻は、前記一次リザーバポットおよび前記二次リザーバポットをそれぞれ支持している、請求項１６に記載の複合植物用容器自己給水システム。
【請求項１８】
前記一次リザーバポットの下側部分の直径は、前記一次芯の直径を収容するための大きさでしかない、請求項１６に記載の複合植物用容器自己給水システム。
【請求項１９】
前記二次リザーバポットの下側部分の直径は、前記二次芯の直径を収容するための大きさでしかない、請求項１６に記載の複合植物用容器自己給水システム。
【請求項２０】
前記一次リザーバポットの上側部分の一次プラットフォームが、前記一次生育ポットおよび前記一次芯を支持している、請求項１６に記載の複合植物用容器自己給水システム。
【請求項２１】
前記二次リザーバポットの上側部分の二次プラットフォームが、前記二次生育ポットおよび前記二次芯を支持している、請求項１６に記載の複合植物用容器自己給水システム。
【請求項２２】
複合植物用容器自己給水システムとの使用のための植物用容器であって、前記植物用容器は、
外殻と、
前記外殻の内側に位置しているリザーバポットであって、前記リザーバポットは、上側部分と、前記上側部分の真ん中に中心を置かれている下側部分とを有する、リザーバポットと、
前記リザーバポットの上側部分の内側に位置している生育ポットと、
前記リザーバポットの下側部分の内側に位置している芯と
を備え、
前記リザーバポットの下側部分の直径は、前記リザーバポットの上側部分の直径と比較して大幅に減少させられており、それによって、異なる高さにおける複数の流体接続されている植物用容器に対して、実質的に類似した完全乾燥時間を可能にする、植物用容器。
【請求項２３】
前記外殻は、一対の孔を有し、そのうちの少なくとも１つは、隣接する一対の植物用容器との流体接続のための管類を受け取るためである、請求項２２に記載の植物用容器。
【請求項２４】
前記外殻は、前記リザーバポットおよび前記管類を支持している、請求項２３に記載の植物用容器。
【請求項２５】
前記リザーバポットの下側部分は、隣接する植物用容器から前記管類を受け取る手段を備えている、請求項２３に記載の植物用容器。
【請求項２６】
前記リザーバポットの下側部分の直径は、前記芯の直径を収容するための大きさでしかない、請求項２２に記載の植物用容器。
【請求項２７】
前記リザーバポットの上側部分のプラットフォームが、前記生育ポットおよび前記芯を支持している、請求項２２に記載の植物用容器。
【請求項２８】
前記生育ポットの基部は、水に浸透性である、請求項２２に記載の植物用容器。
【請求項２９】
前記芯は、前記リザーバポットから前記生育ポットの基部に水を引き込み、それによって、水を前記生育ポット中の土壌媒体と直接接触させる、請求項２８に記載の植物用容器。
【手続補正２】
【補正対象書類名】明細書
【補正対象項目名】００２４
【補正方法】変更
【補正の内容】
【００２４】
本発明のこれらならびに他の利点および特徴は、本発明を当業者にとって理解可能にするための特定性とともに説明される。
本願明細書は、例えば、以下の項目も提供する。
（項目１）
複合植物用容器自己給水システムとの使用のための植物用容器であって、前記植物用容器は、
外殻と、
前記外殻の内側に位置しているリザーバポットであって、前記リザーバポットは、上側部分と、前記上側部分の真ん中に中心を置かれている下側部分とを有する、リザーバポットと、
前記リザーバポットの上側部分の内側に位置している生育ポットと、
前記リザーバポットの下側部分の内側に位置している芯と
を備え、
前記リザーバポットの下側部分の直径は、前記リザーバポットの上側部分の直径と比較して大幅に減少させられており、それによって、異なる高さにおける複数の流体接続されている植物用容器に対して、実質的に類似した完全乾燥時間を可能にする、植物用容器。
（項目２）
前記外殻は、一対の孔を有し、そのうちの少なくとも１つは、隣接する一対の植物用容器との流体接続のための管類を受け取るためである、項目１に記載の植物用容器。
（項目３）
前記外殻は、前記リザーバポットおよび前記管類を支持している、項目２に記載の植物用容器。
（項目４）
前記リザーバポットの下側部分は、隣接する植物用容器から前記管類を受け取る手段を備えている、項目２に記載の植物用容器。
（項目５）
前記リザーバポットの下側部分の直径は、前記芯の直径を収容するための大きさでしかない、項目１に記載の植物用容器。
（項目６）
前記リザーバポットの上側部分のプラットフォームが、前記生育ポットおよび前記芯を支持している、項目１に記載の植物用容器。
（項目７）
前記生育ポットの基部は、水に浸透性である、項目１に記載の植物用容器。
（項目８）
前記芯は、前記リザーバポットから前記生育ポットの基部に水を引き込み、それによって、水を前記生育ポット中の土壌媒体と直接接触させる、項目７に記載の植物用容器。
（項目９）
複合植物用容器自己給水システムであって、
第１の高さにおける一次容器であって、前記一次容器は、
管類を受け取るための一対の孔を有する一次外殻と、
前記一次外殻の内側に位置している一次リザーバポットであって、前記一次リザーバポットは、上側部分と、前記上側部分の真ん中に中心を置かれている下側部分とを有する、一次リザーバポットと、
前記一次リザーバポットの下側部分の内側に位置している一次芯と、
前記一次リザーバポットの上側部分の内側に位置している一次生育ポットと
を備えている、一次容器と、
複数の二次容器であって、前記複数の二次容器の各々は、異なる高さにあり、前記複数の二次容器の各々は、
前記管類を受け取るための一対の孔を有する二次外殻と、
前記二次外殻の内側に位置している二次リザーバポットであって、前記二次リザーバポットは、上側部分と、前記上側部分の真ん中に中心を置かれている下側部分とを有する、二次リザーバポットと、
前記二次リザーバポットの下側部分の内側に位置している二次芯と、
前記二次リザーバポットの上側部分の内側に位置している二次生育ポットと
を備えている、複数の二次容器と
を備え、
前記一次容器および前記複数の二次容器は、前記管類を用いて流体接続され、実質的に類似した完全乾燥時間を可能にするように構成されている、複合植物用容器自己給水システム。
（項目１０）
前記一次容器は、外部水供給装置と、前記複数の二次容器のうちの少なくとも１つとに流体接続されている、項目９に記載の複合植物用容器自己給水システム。
（項目１１）
前記複数の二次容器は、デイジーチェーン式で流体接続されている、項目９に記載の複合植物用容器自己給水システム。
（項目１２）
前記一次外殻は、前記一次リザーバポットおよび前記管類を支持している、項目９に記載の複合植物用容器自己給水システム。
（項目１３）
前記二次外殻は、前記二次リザーバポットおよび前記管類を支持している、項目９に記載の複合植物用容器自己給水システム。
（項目１４）
前記一次リザーバポットの下側部分は、隣接する容器から前記管類を受け取る手段を備えている、項目９に記載の複合植物用容器自己給水システム。
（項目１５）
前記二次リザーバポットの下側部分は、隣接する容器から前記管類を受け取る手段を備えている、項目９に記載の複合植物用容器自己給水システム。
（項目１６）
前記一次リザーバポットの下側部分の直径は、前記一次リザーバポットの上側部分の直径と比較して大幅に減少させられている、項目９に記載の複合植物用容器自己給水システム。
（項目１７）
前記一次リザーバポットの下側部分の直径は、前記一次芯の直径を収容するための大きさでしかない、項目１６に記載の複合植物用容器自己給水システム。
（項目１８）
前記二次リザーバポットの下側部分の直径は、前記二次リザーバポットの上側部分の直径と比較して大幅に減少させられている、項目９に記載の複合植物用容器自己給水システム。
（項目１９）
前記二次リザーバポットの下側部分の直径は、前記二次芯の直径を収容するための大きさでしかない、項目１８に記載の複合植物用容器自己給水システム。
（項目２０）
前記一次芯は、前記一次リザーバポットの上側部分の一次プラットフォーム上に据えられており、前記一次リザーバポットの下側部分を通って下に延びている、項目９に記載の複合植物用容器自己給水システム。
（項目２１）
前記一次生育ポットは、前記一次芯、および前記一次リザーバポットの一次プラットフォームの上に据えられている、項目２０に記載の複合植物用容器自己給水システム。
（項目２２）
前記二次芯は、前記二次リザーバポットの上側部分の二次プラットフォーム上に据えられており、前記二次リザーバポットの下側部分を通って下に延びている、項目９に記載の複合植物用容器自己給水システム。
（項目２３）
前記二次生育ポットは、前記二次芯、および前記二次リザーバポットの二次プラットフォームの上に据えられている、項目２２に記載の複合植物用容器自己給水システム。
（項目２４）
複合植物用容器自己給水システムであって、
第１の高さにおける一次容器であって、前記一次容器は、
一次外殻と、
前記一次外殻の内側に位置している一次リザーバポットであって、前記一次リザーバポットは、上側部分と、前記上側部分の真ん中に中心を置かれている下側部分とを有し、前記下側部分の直径は、前記上側部分の直径と比較して大幅に減少させられている、一次リザーバポットと、
前記一次リザーバポットの下側部分の内側に位置している一次芯と、
前記一次リザーバポットの上側部分の内側に位置している一次生育ポットと
を備えている、一次容器と、
複数の二次容器であって、前記複数の二次容器の各々は、異なる高さにあり、前記複数の二次容器の各々は、
二次外殻と、
前記二次外殻の内側に位置している二次リザーバポットであって、前記二次リザーバポットは、上側部分と、前記上側部分の真ん中に中心を置かれている下側部分とを有し、前記下側部分の直径は、前記上側部分の直径と比較して大幅に減少させられている、二次リザーバポットと、
前記二次リザーバポットの下側部分の内側に位置している二次芯と、
前記二次リザーバポットの上側部分の内側に位置している二次生育ポットと
を備えている、複数の二次容器と
を備え、
前記一次容器および前記複数の二次容器は、管類を用いて流体接続され、実質的に類似した完全乾燥時間を可能にするように構成されている、複合植物用容器自己給水システム。
（項目２５）
前記一次外殻および前記二次外殻は、前記一次リザーバポットおよび前記二次リザーバポットをそれぞれ支持している、項目２４に記載の複合植物用容器自己給水システム。
（項目２６）
前記一次リザーバポットの下側部分の直径は、前記一次芯の直径を収容するための大きさでしかない、項目２４に記載の複合植物用容器自己給水システム。
（項目２７）
前記二次リザーバポットの下側部分の直径は、前記二次芯の直径を収容するための大きさでしかない、項目２４に記載の複合植物用容器自己給水システム。
（項目２８）
前記一次リザーバポットの上側部分の一次プラットフォームが、前記一次生育ポットおよび前記一次芯を支持している、項目２４に記載の複合植物用容器自己給水システム。
（項目２９）
前記二次リザーバポットの上側部分の二次プラットフォームが、前記二次生育ポットおよび前記二次芯を支持している、項目２４に記載の複合植物用容器自己給水システム。